(57)【要約】【課題】瓶の胴部に貼り付けたラベルの保護が可能な包装箱用の瓶保持体を提供する。【解決手段】胴部２２にラベル２６を設けた瓶２０を、胴部２２の周囲に隙間を設けた状態で包装箱１０内に横置きで保持する包装箱用の瓶保持体１であって、底部保持部３０と、中間保持部４０と、首部規制部５０と、を備え、底部保持部３０は、第１横板部３１と、第１横板部３１に穿設され瓶２０の底部２１を挿入する底部挿入孔３２と、を有し、中間保持部４０は、底板部４１と、底板部４１から上向きに突出する中間突出部４２と、中間突出部４２に凹設され瓶２０の肩部２３に嵌合する中間凹部４３と、を有し、首部規制部５０は、第２横板部５１と、第２横板部５１の上端から首部２４の上方に延出する首部延出部５２と、首部延出部５２の先端から垂れ下がる首部垂下部５３と、首部垂下部５３に切り欠き形成され首部２４に係合する首部係合部５４と、を有する。【選択図】図１
2014122040.tif 000002
【特許請求の範囲】
【請求項１】
板状体を折り曲げて形成され、ラベルが貼られた胴部と前記胴部よりも細い首部と前記胴部と前記首部を繋ぐ肩部とを有する瓶を、前記胴部の周囲に隙間を設けた状態で包装箱内に横置きで保持する包装箱用の瓶保持体であって、
前記底部を保持する底部保持部と、前記肩部又は首部を下側から保持する中間保持部と、前記中間保持部よりも前記頭部側で前記首部の上方及び側方への移動を規制する首部規制部と、を備え、
前記底部保持部は、前記包装箱の前記底部側の内壁面から離間した位置に立設される第１横板部と、前記第１横板部に穿設され前記底部を挿入する底部挿入孔と、を有し、
前記中間保持部は、前記瓶の下側に離間して配置される底板部と、前記底板部から上向きに突出する中間突出部と、前記中間突出部に凹設され前記肩部又は首部に嵌合する中間凹部と、を有し、
前記首部規制部は、前記包装箱の前記頭部側の内壁面に沿って立設される第２横板部と、前記第２横板部の上端から前記首部の上方に延出する首部延出部と、前記首部延出部の先端から垂れ下がる首部垂下部と、前記首部垂下部に貫通形成又は切り欠き形成され前記首部に係合する首部係合部と、を有する、
ことを特徴とする包装箱用の瓶保持体。
【請求項２】
前記首部係合部は、前記首部垂下部の一部に、前記首部垂下部の下端部から切り欠き形成されていることを特徴とする請求項１に記載の包装箱用の瓶保持体。
【請求項３】
前記首部垂下部の上端は、前記包装箱の上蓋を閉じた状態で前記上蓋に当接するように配置され、
前記首部垂下部の下端は、前記底板部及び前記中間突出部のいずれか一方に当接することを特徴とする請求項１又は請求項２に記載の包装箱用の瓶保持体。
【請求項４】
前記首部規制部は、前記首部垂下部の下端から前記第２横板部に向かって折れ曲がる折曲部を有し、
前記折曲部の先端は前記第２横板部に当接していることを特徴とする請求項１から請求項３のいずれか１項に記載の包装箱用の瓶保持体。
【請求項５】
前記中間凹部は、少なくとも前記肩部を含む部位に嵌合することを特徴とする請求項１から請求項４のいずれか１項に記載の包装箱用の瓶保持体。
【請求項６】
前記底部保持部は、前記第１横板部の上端に山折れ線を介して連続し、前記包装箱の側壁と前記第１横板部の間に配置される折返し部を有し、
前記折返し部と前記第２横板部とで前記瓶を挟持することを特徴とする請求項１から請求項５のいずれか１項に記載の包装用箱の瓶保持体。
【請求項７】
前記底部挿入孔は、前記底部挿入孔の前記底板部側の周縁に連続するとともに前記折返し部に向かって折り曲げられる折曲片を有し、
前記折曲片の先端は、前記折返し部に当接することを特徴とする請求項６に記載の包装箱用の瓶保持体。
【請求項８】
前記中間凹部は、前記瓶の側面形状に対応した形状に切り欠かれるとともに、前記頭部側と底部側で前記中間凹部の周縁にそれぞれ連続する一対の切欠片を備え、
前記一対の切欠片は、前記中間凹部の内部に落とし込むように折り曲げられていることを特徴とする請求項１から請求項７のいずれか１項に記載の包装箱用の瓶保持体。
【発明の詳細な説明】
【技術分野】
【０００１】
本発明は、包装箱の内部で瓶を保持する包装箱用の瓶保持体に関する。
【背景技術】
【０００２】
従来、飲料や調味料などを封入した瓶を包装箱に横置きで収納する際に、包装箱の内部に瓶保持体を設置して瓶の移動を抑制することが行われている。
【０００３】
例えば、特許文献１には、枠状に形成した紙製の瓶胴部保持体と、横三角筒状に形成した紙製の瓶肩部保持体とを、直方体状の贈答箱内に収容して用いる贈答箱用の瓶保持体が開示されている。瓶胴部保持体は、左右の壁板と中央の胴部仕切板とを有しており、左右の壁板と中央の胴部仕切板の間に瓶の胴部が収容されている。
【０００４】
また、特許文献２には、底壁部から上向きに突出した複数の仕切壁部を有する胴体仕切部と、横方向に沿った傾斜面を有する枕部と、を連続部によって一体成形した包装用仕切材が開示されている。この包装用仕切材では、複数の仕切壁部の間に瓶の胴部が収容されている。
【０００５】
また、特許文献３には、包装箱内に、第１山型支受部、中央底面板及び第２山型支受部を連成して構成された中仕切りが収容され、第１山型支受部及び第２山型支受部に形成されたそれぞれの凹欠部で瓶の首部と胴部とを支受する瓶用包装構造が開示されている。
【先行技術文献】
【特許文献】
【０００６】
【特許文献１】実開平６−４９３１９号公報
【特許文献２】特開２００２−３３２０３２号公報
【特許文献３】実用新案登録第３１１１３０８号公報
【発明の概要】
【発明が解決しようとする課題】
【０００７】
ところで、飲料等の入った瓶を贈答物として注文する際に、瓶の胴部に貼り付けるラベルのデザインやメッセージを注文者が指定できるようにしたサービスが考えられている。このようなサービスの場合、特注されたラベルの保護が重要になる。
【０００８】
しかしながら、特許文献１，２に記載の構造では、瓶の胴部が底面部や仕切壁部に接触する構造となっているので、包装箱の搬送中に瓶が回転すると、胴部に貼り付けたラベルが底面部や仕切壁部と擦れ合い、ラベルが損傷するおそれがある。
また、特許文献３に記載の構造では、第１山型支受部及び第２山型支受部によって瓶の胴部が中央底面板から浮いた状態で支持されるが、瓶が包装箱の上蓋側に移動することを防止する対策がとられてないので、瓶の胴部が上蓋の裏面に接触してラベルが損傷するおそれがある。また、特許文献３に記載の構造では、搬送中に瓶が回転した場合に、瓶の胴部を支受する第２山型支受部でラベルが傷つくおそれがある。
【０００９】
本発明は、これらの問題に鑑みて成されたものであり、瓶の胴部に貼り付けたラベルの保護が可能な包装箱用の瓶保持体を提供することを目的とする。
【課題を解決するための手段】
【００１０】
本発明は、板状体を折り曲げて形成され、ラベルが貼られた胴部と前記胴部よりも細い首部と前記胴部と前記首部を繋ぐ肩部とを有する瓶を、前記胴部の周囲に隙間を設けた状態で包装箱内に横置きで保持する包装箱用の瓶保持体であって、前記底部を保持する底部保持部と、前記肩部又は首部を下側から保持する中間保持部と、前記中間保持部よりも前記頭部側で前記首部の上方及び側方への移動を規制する首部規制部と、を備え、前記底部保持部は、前記包装箱の前記底部側の内壁面から離間した位置に立設される第１横板部と、前記第１横板部に穿設され前記底部を挿入する底部挿入孔と、を有し、前記中間保持部は、前記瓶の下側に離間して配置される底板部と、前記底板部から上向きに突出する中間突出部と、前記中間突出部に凹設され前記肩部又は首部に嵌合する中間凹部と、を有し、前記首部規制部は、前記包装箱の前記頭部側の内壁面に沿って立設される第２横板部と、前記第２横板部の上端から前記首部の上方に延出する首部延出部と、前記首部延出部の先端から垂れ下がる首部垂下部と、前記首部垂下部に貫通形成又は切り欠き形成され前記首部に係合する首部係合部と、を有することを特徴とする包装箱用の瓶保持体である。
【００１１】
このような構成によれば、底部挿入孔に挿入された底部が第１横板部に保持され、中間凹部に嵌合した肩部又は首部が中間突出部に保持されるので、ラベルが貼られた胴部が底板部から浮いた状態で支持される。これにより、胴部の周囲に隙間を確保することが可能となり、搬送中に瓶が回転した場合でも、包装箱の内面や他の瓶等にラベルが接触することがない。また、第１横板部及び中間突出部によって瓶全体の下側への移動及び側方への移動が規制され、首部垂下部によって首部係合部に係合した首部の上方及び側方への移動が規制され、第１横板部によって底部の上方及び側方への移動が規制されるので、包装箱の搬送中に瓶が移動して包装箱の内面や他の瓶等にラベルが接触するのを防止することができる。特に、第１横板部と首部垂下部とで瓶の側方への移動を規制するので、例えば包装箱が輸送時に横置きにされたとしても、底部だけでなく、首部をしっかりと係止して瓶の側方への移動を抑制することができる。また、底部保持部と中間保持部と首部規制部とが一枚の板状体を折り曲げて構成されているので、瓶の保持力向上と組立作業の容易化を両立することができる。
【００１２】
また、前記首部係合部は、前記首部垂下部の一部に、前記首部垂下部の下端部から切り欠き形成されているのが好ましい。
【００１３】
このような構成によれば、首部係合部は、首部垂下部の一部に、前記首部垂下部の下端部から切り欠き形成されているので、瓶保持体に横置きされた瓶の首部に対して、首部係合部を自在に着脱することができる。そのため、瓶の収容動作と取り出し動作が容易になる。
【００１４】
また、前記首部垂下部の上端は、前記包装箱の上蓋を閉じた状態で前記上蓋に当接するように配置され、前記首部垂下部の下端は、前記底板部及び前記中間突出部のいずれか一方に当接するのが好ましい。
【００１５】
このような構成によれば、首部垂下部の上端は、包装箱の上蓋を閉じた状態で上蓋に当接するように配置されているので、包装箱の上蓋を閉じた状態で首部垂下部の上方への移動が規制される。また、首部垂下部の下端は、底板部及び中間突出部のいずれか一方に当接するので、包装箱の上蓋を閉じた状態で首部垂下部が上下方向に挟持された状態になる。そのため、首部垂下部の安定性が向上し、首部の上方又は側方への移動を規制することができる。
【００１６】
また、前記首部規制部は、前記首部垂下部の下端から前記第２横板部に向かって折れ曲がる折曲部を有し、前記折曲部の先端は前記第２横板部に当接しているのが好ましい。
【００１７】
このような構成によれば、首部規制部は、前記首部垂下部の下端から前記第２横板部に向かって折れ曲がる折曲部を有し、前記折曲部の先端は前記第２横板部に当接しているので、首部垂下部の下端が第２横板部に向かって移動して、首部の規制が不十分になることを抑制することができる。
【００１８】
また、前記中間凹部は、少なくとも前記肩部を含む部位に嵌合する構成とするのが好ましい。
【００１９】
このような構成によれば、中間凹部が少なくとも肩部を含む部位に嵌合するので、首部を支持する場合に比較して、質量の大きい胴部の近くを支持することができるので、瓶を安定して支持することができる。
【００２０】
また、前記底部保持部は、前記第１横板部の上端に山折れ線を介して連続し、前記包装箱の側壁と前記第１横板部の間に配置される折返し部を有し、前記折返し部と前記第２横板部とで前記瓶を挟持する構成とするのが好ましい。
【００２１】
このような構成によれば、折返し部と第２横板部とで瓶が挟持されるので、瓶の軸方向への移動を抑制することができると共に、瓶の回転を抑制することができる。
【００２２】
また、前記底部挿入孔は、前記底部挿入孔の前記底板部側の周縁に連続するとともに前記折返し部に向かって折り曲げられる折曲片を有し、前記折曲片の先端は、前記折返し部に当接する構成とするのが好ましい。
【００２３】
このような構成によれば、底部挿入孔の底板部側の周縁から折返し部に向かって折り曲げられる折曲片の先端が折返し部に当接しているので、第１横板部と折返し部との間に隙間を確保することができ、底部が底部挿入孔から脱落し難くなる。
【００２４】
また、前記中間凹部は、前記瓶の側面形状に対応した形状に切り欠かれるとともに、前記頭部側と底部側で前記中間凹部の周縁にそれぞれ連続する一対の切欠片を備え、前記一対の切欠片は、前記中間凹部の内部に落とし込むように折り曲げられている構成とするのが好ましい。
【００２５】
このような構成によれば、中間凹部の周縁に連続して設けられた一対の切欠片が中間凹部の内部に落とし込むように折り曲げられているので、中間凹部の内側領域を一対の切欠片で覆うことができる。そのため、瓶保持体を上方から見たときに、中間凹部を通して包装箱の内部が見えてしまうことを防止することができる。
【発明の効果】
【００２６】
本発明によれば、瓶の胴部に貼り付けたラベルの保護が可能な包装箱用の瓶保持体を提供することができる。
【図面の簡単な説明】
【００２７】
【図１】瓶保持体を右上後方から見下ろした斜視図である。
【図２】瓶保持体を左上前方から見下ろした斜視図である。
【図３】瓶保持体の展開図である。
【図４】図１のＩＶ−ＩＶ矢視断面図である。
【図５】図４に示すＶ部の拡大断面図である。
【図６】図４に示すＶＩ部の拡大断面図である。
【図７】変形例に係る瓶保持体の断面図である。
【発明を実施するための形態】
【００２８】
本発明の実施形態について、図１乃至図６を参照して詳細に説明する。説明において、同一の要素には同一の番号を付し、重複する説明は省略する。また、方向を説明する場合は、図１等に示すように、包装箱の底壁を下側にした場合を基準とした上下左右前後に基づいて説明する。ここで、「前」及び「後」は、包装箱内に横置きで収容された瓶の「頭部側」及び「底部側」にそれぞれ一致する。また、包装箱の中心に向かう方向を「箱内側」と称する場合がある。
【００２９】
図１は、瓶保持体を右上後方から見下ろした斜視図である。図２は、瓶保持体を左上前方から見下ろした斜視図である。なお、図１では、包装箱１０を仮想線（二点鎖線）で描いている。
本実施形態に係る包装箱用の瓶保持体１（以下、単に「瓶保持体１」という）の説明に先立って、包装箱１０及び瓶２０の構造について説明する。
【００３０】
図１に示すように、包装箱１０は、商品である瓶２０を包装するための箱であり、例えば左右方向に長尺な長方体形状の段ボール箱等で構成されている。包装箱１０は、底壁１１と、底壁１１の四辺から起立する前側壁１２、後側壁１３、右側壁１４及び左側壁１５と、前側壁１２の上端に折り曲げ可能に設けられた上蓋１６と、を備えている。上蓋１６は、図示しないフラップで後側壁１３に係合できるようになっている。包装箱１０の内部には、瓶保持体１が設置されており、瓶保持体１の上には６本（図１では１本のみ図示）の瓶２０が頭部２５を前側壁１２に向けるとともにラベル２６を上に向けて並列配置される。
【００３１】
なお、包装箱１０の構造は、瓶保持体１及び瓶２０を収容できるものであれば、特に限定されるものではない。例えば、図示は省略するが、上面が開口した箱本体と下面が開口した箱状の上蓋との２部材で包装箱を構成してもよい。
【００３２】
瓶２０は、酒類等の飲料や調味料などが充填された容器であり、例えばガラスや陶器等で構成されている。瓶２０は、底部２１、胴部２２、肩部２３、首部２４、頭部２５、をこの順に備えている。胴部２２は、例えば一定の径に形成された円筒状の部位である。胴部２２の外周面にはラベル２６が貼り付けられている。肩部２３は、胴部２２と首部２４の間の領域であり、胴部２２と首部２４を繋いでいる。本実施形態では、肩部２３は、首部２４に向かって徐々に径が小さくなる円錐台形状に形成されている。首部２４は、胴部２２よりも細い略円筒状の部位である。頭部２５は、首部２４の先端の開口部を含む部位である。本実施形態では、頭部２５に王冠２７を設置して開口部を閉塞している。
【００３３】
なお、瓶２０の形状は、胴部よりも細い首部を有していれば、特に限定されるものではない。例えば、胴部から頭部にかけて徐々に細くなるような、肩部と首部の区別が明確でない形状の瓶等であってもよい。また、王冠２７以外の方式（例えばコルク栓やねじ式キャップ等）で頭部２５の開口部を閉塞してもよい。
【００３４】
次に、本実施形態に係る瓶保持体１について、図１乃至図６を参照して説明する。
図３は、瓶保持体の展開図である。図４は、図１のＩＶ−ＩＶ矢視断面図である。図５は、図４に示すＶ部の拡大断面図である。図６は、図４に示すＶＩ部の拡大断面図である。なお、図４において、首部規制部５０を上方に回動させた状態を仮想線（二点鎖線）で描いている。
【００３５】
図１乃至図４に示すように、瓶保持体１は、例えば段ボール等の板状体を所定形状に折り曲げて形成した部材であり、包装箱１０の内部で６本の瓶２０を横置き状態で保持する機能を有している。瓶保持体１は、図３に示すように、展開した状態で１枚の板状体となる。なお、図３では、展開した瓶保持体１を上から見て、複数の谷折れ線ｖ１〜ｖ７を一点鎖線で示し、複数の山折れ線ｍ１〜ｍ６を破線で示してある。
瓶保持体１は、底部２１を保持する底部保持部３０と、肩部２３を下側から保持する中間保持部４０と、首部２４の上方及び側方への移動を規制する首部規制部５０と、を備えている。
【００３６】
図１乃至図５（主に図５）に示すように、底部保持部３０は、瓶２０の底部２１側に立設される第１横板部３１と、第１横板部３１に穿設された６個の底部挿入孔３２と、包装箱１０の後側壁１３と第１横板部３１の間に配置される底部側折返し部３３と、各底部挿入孔３２の周縁３２ａに設けられた折曲片３４と、を有している。
【００３７】
第１横板部３１は、底部挿入孔３２に挿入された底部２１を上下及び左右に移動不能に保持する部位であり、包装箱１０の後側壁１３の内壁面から箱内側に離間した位置に立設されている。第１横板部３１は、包装箱１０の左右方向の全長に亘って延設されている。第１横板部３１の下端側は、後記する底板部４１に谷折れ線ｖ１を介して連続している。第１横板部３１は、上側に向かうほど箱内側に位置するように傾斜する下傾斜部３１ａと、下側に向かうほど箱内側に位置するように傾斜する上傾斜部３１ｂと、を有している。換言すれば、下傾斜部３１ａと上傾斜部３１ｂは、山折れ線ｍ１を介して連続し、側面視で略く字状に屈曲している。これにより、第１横板部３１は、底部側折返し部３３に対して全体的に箱内側に離間しており、両者の間に底部２１を配置するための空間が形成される。
【００３８】
底部挿入孔３２は、底部２１と略同形状に形成された貫通孔であり、第１横板部３１の上下方向の中央部付近に、左右方向に互いに間隔を空けて６箇所形成されている。底部挿入孔３２は、底板部４１側の周縁３２ａが方形（直線状）に形成されており、底板部４１側以外の周縁３２ｂが円弧状に形成されている。底部挿入孔３２の周縁３２ａ，３２ｂが底部２１の外周面に当接することで、底部２１の上下左右への移動が規制される。
【００３９】
底部側折返し部３３は、第１横板部３１の上端に山折れ線ｍ２を介して連続して形成された板状の部位である。底部側折返し部３３は、第１横板部３１の上端を支持している。底部側折返し部３３は、底部挿入孔３２に挿入された底部２１に当接している。
【００４０】
折曲片３４は、底部挿入孔３２の底板部４１側の周縁３２ａに山折れ線ｍ３を介して連続する部位である。折曲片３４は、底部側折返し部３３に向かって折り曲げられており、折曲片３４の先端は、底部側折返し部３３に当接している。これにより、第１横板部３１と底部側折返し部３３との間隔が保たれ、底部挿入孔３２から底部２１が外れ難くなる。
【００４１】
図１乃至図４（主に図４）に示すように、中間保持部４０は、胴部２２の下側に離間して配置される底板部４１と、底板部４１から上向きに突出する中間突出部４２と、中間突出部４２に凹設され肩部２３付近に嵌合する中間凹部４３と、中間凹部４３の後側及び前側の周縁４３ｂ，４３ｃにそれぞれ連続する一対の切欠片４４と、を有している。
【００４２】
底板部４１は、胴部２２に対応する領域において包装箱１０の底壁１１に重畳して設置される平板状の部位であり、平面視で長方形状に形成されている。底板部４１の後端側は、谷折れ線ｖ１を介して第１横板部３１に連続しており、底板部４１の前端側は、谷折れ線ｖ２を介して中間突出部４２に連続している。また、底板部４１の左右端部には、谷折れ線ｖ３を介して左右一対の小片４１ａがそれぞれ設けられている。
【００４３】
中間突出部４２は、底板部４１に対して箱内側に山形に突出する部位である。中間突出部４２は、包装箱１０の左右方向の全長に亘って延設されている。中間突出部４２は、底板部４１に谷折れ線ｖ２を介して連続する後傾斜部４２ａと、後傾斜部４２ａの上端に山折れ線ｍ４を介して連続する前傾斜部４２ｂとを有している。後傾斜部４２ａは、前傾斜部４２ｂよりも傾斜長が小さくなっている。また、後傾斜部４２ａは、前傾斜部４２ｂよりも傾斜角度が急勾配になっている。これにより、山折れ線ｍ４によって形成される頂部４２ｃは、中間突出部４２の後寄りの部分に偏倚して配置される。前傾斜部４２ｂの下端側は、谷折れ線ｖ４を介して後記する第２横板部５１に連続している。
【００４４】
中間凹部４３は、頂部４２ｃを含む領域で中間突出部４２を切欠いて形成した凹部である。中間凹部４３は、中間突出部４２の左右方向に互いに間隔を空けて６箇所設けられている。本実施形態では、中間凹部４３は、少なくとも肩部２３を含む部位に対応する位置に設けられている。中間凹部４３は、前端側及び後端側が方形に切欠かれるとともに、頂部４２ｃ付近が円弧状に幅広に切欠かれている（図３参照）。中間凹部４３のうち、この円弧状に幅広に切欠かれた部位４３ａに、胴部２２の一部と肩部２３とが嵌合することにより、瓶２０が左右及び下方に移動不能に保持される。
【００４５】
一対の切欠片４４は、後側切欠片４４ａと前側切欠片４４ｂとの２片で構成されている。後側切欠片４４ａは、中間凹部４３の後側（瓶２０の底部２１側）の周縁４３ｂに山折れ線ｍ５を介して連続しており、前側切欠片４４ｂは、中間凹部４３の前側（瓶２０の頭部２５側）の周縁４３ｃに山折れ線ｍ６を介して連続している。後側切欠片４４ａ及び前側切欠片４４ｂは、瓶保持体１を組み立てた状態で、中間凹部４３の内部に落とし込むように折り曲げられている。これにより、瓶保持体１を上方から見たときに、後側切欠片４４ａ及び前側切欠片４４ｂによって中間凹部４３の内部が被覆され、包装箱１０の底面が見え難くなり意匠性が向上する。
【００４６】
図１乃至図４及び図６（主に図６）に示すように、首部規制部５０は、瓶２０の頭部２５側に立設される第２横板部５１と、第２横板部５１の上端から首部２４の上方に延出する首部延出部５２と、首部延出部５２の先端から垂れ下がる首部垂下部５３と、首部垂下部５３の下半部に切り欠き形成された首部係合部５４と、首部垂下部５３の下端５３ａから第２横板部５１に向かって折れ曲がる折曲部５５と、を有している。首部規制部５０は、包装箱１０の左右方向の全長に亘って延設されている。
【００４７】
第２横板部５１は、前傾斜部４２ｂの下端側（前端側）に谷折れ線ｖ４を介して連続して略垂直に立設された壁状部位である。第２横板部５１は、包装箱１０の前側壁１２の内壁面に沿って立設されている。第２横板部５１は、頭部２５に設置された王冠２７の頂面に当接している。第２横板部５１の上端は、前側壁１２の上端と略同じ高さに位置している。また、第２横板部５１の上端は、谷折れ線ｖ５を介して首部延出部５２に連続している。
【００４８】
首部延出部５２は、第２横板部５１の上端から首部２４の上方に延出する部位である。首部延出部５２の先端には、谷折れ線ｖ６を介して後記する首部垂下部５３が連続している。つまり、首部延出部５２は、第２横板部５１から箱内側に離れた位置（換言すれば、頭部２５から肩部２３側に離れた位置）で首部垂下部５３の上端５３ｂを支持する機能を有している。本実施形態では、首部延出部５２は包装箱１０の上端と略同じ高さで略水平に配置されており、閉じた状態の上蓋１６の下面に当接するようになっている。
【００４９】
首部垂下部５３は、中間保持部４２（より詳しくは中間凹部４３）よりも瓶２０の頭部２５側で首部２４の上方及び側方への移動を規制する壁状の部位である。首部垂下部５３は、首部延出部５２の先端から首部２４に向かって垂れ下がるように延出している。首部垂下部５３の下側（下半部）には、６個の首部係合部５４が互いに左右方向に間隔を空けて切り欠き形成されている。首部垂下部５３の上端５３ｂは、閉じた状態の上蓋１６に当接しており、首部垂下部５３の下端５３ａは、中間突出部４２の前傾斜部４２ｂに当接している。これにより、上蓋１６を閉じた状態で、首部垂下部５３は上下を挟持された状態になる。これにより、首部垂下部５３の安定性が向上する。
【００５０】
なお、本実施形態では、上蓋１６を閉じた状態で首部垂下部５３の上端５３ｂ（及び首部延出部５２）が上蓋１６に当接することとしたが、首部２４の規制に影響しなければ、首部垂下部５３の上端５３ｂと上蓋１６との間に例えば数ｍｍ程度の微小な隙間があってもよい。このようにすれば、首部２４の規制に影響しない範囲で、部材の製造誤差等を吸収することができる。
【００５１】
首部係合部５４は首部垂下部５３の下側（下半部）をトンネル状に切り欠いて形成した切り欠き部である。首部係合部５４は、首部２４の上部と左右両側部に係合している。首部係合部５４は、首部垂下部５３の下端５３ａを含むように、首部垂下部５３の下端５３ａから上方に向かって切り欠かれている。つまり、首部係合部５４の下端は開放端になっている。なお、首部係合部５４は、首部２４にぴったりと嵌合していてもよいし、若干の隙間を有して嵌合（いわゆる遊嵌）していてもよい。
【００５２】
折曲部５５は、首部垂下部５３の下端５３ａから第２横板部５１に向かって折り曲げられた部位である。折曲部５５は、中間保持部４２の前傾斜部４２ｂに沿って傾斜している。折曲部５５の基端は、谷折れ線ｖ７を介して首部垂下部５３の下端５３ａに連続している。本実施形態では、折曲部５５は、右から１番目と２番目の首部係合部５４の間の下端５３ａと、右から５番目と６番目の首部係合部５４の間の下端５３ａと、に設けられており、その他の首部垂下部５３の下端５３ａには設けられていない。そして、折曲部５５の先端は、第２横板部５１に当接している。また、首部垂下部５３の下端５３ａが当接する前傾斜部４２ｂは、後側に向かうほど底壁１１から離れるように傾斜している。これにより、首部垂下部５３の下端５３ａが前後にずれてしまう（首部垂下部５３が傾いてしまう）のが抑制され、首部規制部５０の形状が安定する。
【００５３】
首部規制部５０のうち首部延出部５２、首部垂下部５３、首部係合部５４及び折曲部５５は、図４に仮想線（二点鎖線）で示すように、瓶保持体１に瓶２０を横置きした状態で、第２横板部５１の上端５１ａを中心にして上下方向に回動できるようになっている。これは、首部係合部５４の下端が開放端になっているからである。これにより、瓶保持体１に瓶２０を横置きした状態で、首部２４に対して首部係合部５４を（首部垂下部５３を）着脱することができる。特に、首部延出部５２、首部垂下部５３、首部係合部５４及び折曲部５５を上方に回動させておけば、作業者は胴部２２や肩部２３等よりも細い首部２４を把持することができるので、瓶保持体１に瓶２０を設置したり瓶保持体１から瓶２０を取り出したりする作業が容易になる。
【００５４】
なお、首部延出部５２等を下方に回動させた状態（図４に実線で示す状態）でも、胴部２２や肩部２３等を把持すれば、頭部２５を首部係合部５４に挿入してから底部２１を底部挿入孔３２に挿入することで瓶保持体１に瓶２０を設置することができる。また、その逆の動作をすれば瓶保持体１から瓶２０を取り外すことができる。そのため、前記した瓶２０の首部２４を把持する方法と合わせて瓶２０の取り扱いの自由度が向上する。
【００５５】
図４に示すように、瓶保持体１は、底部側折返し部３３と第２横板部５１とで瓶２０の底部２１と頭部２５を挟持している。換言すれば、瓶保持体１を包装箱１０の内部に設置した状態で、底部側折返し部３３から第２横板部５１までの長さ寸法は、瓶２０の長さ寸法に略等しくなっている。これにより、底部２１と底部側折返し部３３との摩擦抵抗と、頭部２５と第２横板部５１との摩擦抵抗とによって、包装箱１０の搬送時に瓶２０が回転し難くなる。
【００５６】
本実施形態に係る包装箱用の瓶保持体１は、基本的に以上のように構成されるものであり、次に、瓶保持体１の作用効果について説明する。
【００５７】
本実施形態に係る包装箱用の瓶保持体１によれば、図１、図４に示すように、底部挿入孔３２に挿入された底部２１が第１横板部３１に保持され、中間凹部４３に嵌合した肩部２３付近が中間突出部４２に保持されるので、ラベルが貼られた胴部２２が底板部４１から浮いた状態で支持される。これにより、胴部２２の周囲に隙間を確保することが可能となり、搬送中に瓶２０が回転した場合でも、包装箱１０の内面や他の瓶２０等にラベル２６が接触することがない。また、第１横板部３１及び中間突出部４２によって瓶２０全体の下側への移動及び左右への移動が規制され、首部垂下部５３によって首部係合部５４に係合した首部２４の上方及び側方への移動が規制され、第１横板部３１によって底部２１の上方及び側方への移動が規制されるので、包装箱１０の搬送中に瓶２０が移動して包装箱１０の内面や他の瓶２０等にラベル２６が接触するのを防止することができる。そのため、ラベル２６を確実に保護することができる。
【００５８】
特に、第１横板部３１と首部垂下部５３とで瓶２０の側方への移動を規制するので、例えば包装箱１０が輸送時に横置きにされたとしても、底部２１のみならず、首部２４をしっかりと係止して瓶２０の側方への移動を抑制することができる。そのため、ラベル２６を確実に保護することができる。また、底部保持部３０と中間保持部４０と首部規制部５０とが一枚の板状体を折り曲げて構成されているので、瓶２０の保持力向上と組立作業の容易化を両立することができる。
【００５９】
また、瓶保持体１によれば、図１、図４、図６に示すように、首部係合部５４は、首部垂下部５３の下端５３ａを含むように首部垂下部５３の一部（下半部）を切り欠いて形成されているので、瓶保持体１に横置きされた瓶２０の首部２４に対して、首部係合部５４を自在に着脱することができる。そのため、瓶２０の収容動作と取り出し動作が容易になる。
【００６０】
また、瓶保持体１によれば、図１、図４、図６に示すように、首部垂下部５３の上端５３ｂは、包装箱１０の上蓋１６を閉じた状態で上蓋１６に当接するように配置されているので、包装箱１０の上蓋１６を閉じた状態で首部垂下部５３の上方への移動が規制される。また、首部垂下部５３の下端５３ａは、中間突出部４２に当接しているので、包装箱１０の上蓋１６を閉じた状態で首部垂下部５３が上下方向に挟持された状態になる。そのため、首部垂下部５３の安定性が向上し、首部２４の上方又は側方への移動を規制することができる。
【００６１】
また、瓶保持体１によれば、図１、図４、図６に示すように、首部規制部５０は、首部垂下部５３の下端５３ａから第２横板部５１に向かって折れ曲がる折曲部５５を有し、折曲部５５の先端は第２横板部５１に当接しているので、首部垂下部５３の下端５３ａが第２横板部５１に向かって移動して首部２４の規制が不十分になることを抑制することができる。
【００６２】
また、瓶保持体１によれば、図４に示すように、中間凹部４３が少なくとも瓶２０の肩部２３を含む部位に嵌合するので、首部２４を支持する場合に比較して、質量の大きい胴部２２の近く（すなわち瓶２０の重心の近く）を支持することができるので、瓶２０を安定して支持することができる。
【００６３】
また、瓶保持体１によれば、図４、図５、図６に示すように、底部側折返し部３３と第２横板部５１とで瓶２０の底部２１と頭部２５が挟持されるので、瓶２０の軸方向への移動を抑制することができると共に、摩擦抵抗によって瓶２０の回転を抑制することができる。なお、本実施形態では、凹欠部５３の周縁が、波形に形成された王冠２７の側面２７ａに当接しているので、この部分の摩擦抵抗も瓶２０の回転抑制に寄与している。
【００６４】
また、瓶保持体１によれば、図５に示すように、折曲片３４の先端が底部側折返し部３３に当接しているので、第１横板部３１と底部側折返し部３３との間に隙間を確保することができ、底部２１が底部挿入孔３２から脱落し難くなる。
【００６５】
また、瓶保持体１によれば、図１、図４に示すように、中間凹部４３の周縁４３ｂ，４３ｃに連続して設けられた一対の切欠片４４が、中間凹部４３の内部に落とし込むように折り曲げられているので、中間凹部４３の内側領域を一対の切欠片４４で覆うことができる。そのため、瓶保持体１を上方から見たときに、一対の切欠片４４によって中間凹部４３の内部が被覆され、包装箱１０の底面が見え難くなり意匠性が向上する。
【００６６】
以上、本実施形態に係る包装箱用の瓶保持体１について、図面を参照して詳細に説明したが、本発明はこれらの実施形態に限定されるものではなく、本発明の趣旨を逸脱しない範囲で適宜変更可能であることは言うまでもない。
【００６７】
例えば、本実施形態では、瓶保持体１に６本の瓶２０を保持させる構成としたが、瓶２０を保持する本数はこれに限定されるものではなく、２本以上であれば何本でもよいし、複数本ではなく１本でもよい。
【００６８】
また、本実施形態では、胴部２２の周囲に隙間を設けたが、本発明は、胴部２２と包装箱１０との間隔や隣り合う胴部２２同士の間隔が空いていればよく、例えば、紙や綿などで作った柔軟性の高い緩衝材や装飾材を当該隙間に敷き詰めるようにしてもよい。
【００６９】
また、本実施形態では、中間突出部４２で、肩部２３付近を下側から保持することとしたが、本発明はこれに限定されるものではなく、首部２４を下側から保持するようにしてもよい。この場合、首部規制部５０は、中間突出部４２で保持する位置よりも頭部２５側で、首部２４の上方及び側方への移動を規制する構成となる。
【００７０】
また、本実施形態では、首部垂下部５３の下端５３ａを含むように首部垂下部５３の下半部を切り欠いて首部係合部５４を形成したが、本発明はこれに限定されるものではなく、首部係合部５４は、首部垂下部５３等を下側に回動した状態で首部２４を挿入可能であって首部２４の上方及び側方への移動を規制できれば、どのような形状であってもよい。例えば、図示は省略するが、首部垂下部５３に長孔状に貫通形成した貫通孔を首部係合部５４としてもよい。
【００７１】
また、本実施形態では、中間突出部４２を、長さの異なる後傾斜部４２ａと前傾斜部４２ｂで構成したが、本発明はこれに限定されるものではなく、底板部４１から上方に突出した状態で瓶２０の中間部位を支持できれば、中間突出部４２の形状をどのように変更してもよい。
【００７２】
また、本実施形態では、首部垂下部５３の下端５３ａが中間突出部４２の前傾斜部４２ｂに当接しているが、本発明はこれに限定されるものではなく、中間突出部４２の形状によっては、首部垂下部５３の下端５３ａが底板部に当接する構造であってもよい。
【００７３】
以下、中間突出部４２と首部垂下部５３との変形例について図７を参照して詳細に説明する。なお、説明において、前記した実施形態と同一の要素には同一の符号を付し、重複する説明は省略する。図７は、変形例に係る瓶保持体の断面図である。
【００７４】
図７に示すように、変形例に係る瓶保持体１Ａは、中間突出部４２Ａ及び首部垂下部５３Ａの形状が、前記した実施形態と相違する。以下、相違点を中心に説明する。
【００７５】
変形例の中間突出部４２Ａは、後傾斜部４２ａと前傾斜部４２ｂとが同一長さに形成されており、全体として二等辺三角形状に形成されている。そして、中間突出部４２Ａと第２横板部５１との間には、第二の底板部４５が設けられている。このような形状でも、前記した実施形態と同様の作用効果を奏することができる。
【００７６】
また、変形例の首部垂下部５３Ａは、その下端部５３ａが第２の底板部４５に当接している。このような形状でも、横置きされた瓶２０の上方及び側方への移動を規制することができる。
【符号の説明】
【００７７】
１      瓶保持体
１０    包装箱
２０    瓶
２１    底部
２２    胴部
２３    肩部
２４    首部
２５    頭部
２６    ラベル
２７    王冠
３０    底部保持部
３１    第１横板部
３２    底部挿入孔
３３    底部側折返し部
３４    折曲片
４０    中間保持部
４１    底板部
４２    中間突出部
４３    中間凹部
４４    切欠片
５０    首部規制部
５１    第２横板部
５２    首部延出部
５３    首部垂下部
５４    首部係合部
【図１】
2014122040.tif 000003
【図２】
2014122040.tif 000004
【図３】
2014122040.tif 000005
【図４】
2014122040.tif 000006
【図５】
2014122040.tif 000007
【図６】
2014122040.tif 000008
【図７】
2014122040.tif 000009